(57)【要約】【課題】緻密かつ高密度な高性能の仕切部材を使用した場合であっても、間隔保持部材との接着部の剥離を抑制でき、かつ通風抵抗の低い全熱交換素子を得ることを目的としている。【解決手段】伝熱性と透湿性を有する仕切部材と、前記仕切部材を所定間隔に保持し、空気の漏れを抑制する樹脂性の遮蔽リブと、を備えた単位構成部材を積層した熱交換素子において、前記遮蔽リブは、前記仕切部材の表面の両側にそれぞれ前記一次気流が流れる方向と並行に設けられた第一遮蔽リブを備え、前記第一遮蔽リブの外側の面と前記仕切部材が接触する第一遮蔽リブ外面接触部と、前記際一遮蔽リブの内側の面と前記仕切部材が接触する第一遮蔽リブ内面接触部と、を有し、前記仕切部材は前記第一遮蔽リブ外面接触部と前記第一遮蔽リブ内面接触部の間で前記第一遮蔽リブ内に埋め込まれていることを特徴とする。【選択図】          図３
2013257107.tif 000002
【特許請求の範囲】
【請求項１】
伝熱性と透湿性を有する仕切部材と、前記仕切部材を所定間隔に保持し、空気の漏れを抑制する樹脂性の遮蔽リブと、を備えた単位構成部材を積層し、前記仕切部材の表面側を通過する一次気流と前記仕切部材の裏面側を前記一次気流と交差して通過する二次気流とが前記仕切部材を介して熱と湿度を交換する熱交換素子において、
前記遮蔽リブは、
前記仕切部材の表面の両側にそれぞれ前記一次気流が流れる方向と並行に設けられた第一遮蔽リブを備え、
前記第一遮蔽リブの外側の面と前記仕切部材が接触する第一遮蔽リブ外面接触部と、
前記際一遮蔽リブの内側の面と前記仕切部材が接触する第一遮蔽リブ内面接触部と、
を有し、
前記仕切部材は前記第一遮蔽リブ外面接触部と前記第一遮蔽リブ内面接触部の間で前記第一遮蔽リブ内に埋め込まれていることを特徴とする熱交換素子。
【請求項２】
前記第一遮蔽リブ外面接触部に高さを設けたことを特徴とする請求項１記載の熱交換素子。
【請求項３】
前記第一遮蔽リブ外面接触部の高さは前記第一遮蔽リブ内面接触部の高さよりも高いことを特徴とする請求項１又は２記載の熱交換素子。
【請求項４】
伝熱性と透湿性を有する仕切部材と、前記仕切部材を所定間隔に保持し、空気の漏れを抑制する樹脂性の遮蔽リブと、を備えた単位構成部材を積層し、前記仕切部材の表面側を通過する一次気流と前記仕切部材の裏面側を前記一次気流と交差して通過する二次気流とが前記仕切部材を介して熱と湿度を交換する熱交換素子において、
前記遮蔽リブは、
前記仕切部材の表面の両側にそれぞれ前記一次気流が流れる方向と並行に設けられた第一遮蔽リブと、前記仕切部材の表面の両側にそれぞれ前記第一遮蔽リブの内側かつ並行に設けられた第二遮蔽リブを備え、
前記第一遮蔽リブの外側の面と前記仕切部材が接触する第一遮蔽リブ外面接触部と、
前記際一遮蔽リブの内側の面と前記仕切部材が接触する第一遮蔽リブ内面接触部と、
前記第二遮蔽リブの外側の面と前記仕切部材が接触する第二遮蔽リブ外面接触部と、
前記際二遮蔽リブの内側の面と前記仕切部材が接触する第二遮蔽リブ内面接触部と、を有し、
前記仕切部材は前記第一遮蔽リブ外面接触部と前記第一遮蔽リブ内面接触部の間で前記第一遮蔽リブ内に埋め込まれ、前記第一遮蔽リブ外面接触部と前記第二遮蔽リブ内面接触部の間で前記第一遮蔽リブ内に埋め込まれていることを特徴とする請求項１記載の熱交換素子。
【請求項５】
前記第一遮蔽リブ内面接触部及び前記第二遮蔽リブ外面接触部に高さを設けたことを特徴とする請求項４記載の熱交換素子。
【請求項６】
前記第一遮蔽リブの左面に一体成形され、仕切部材３と接着したバリを備えたことを特徴とする請求項１乃至５のいずれかに記載の熱交換素子。
【請求項７】
前記第一遮蔽リブの左面の上部を形成する上金型第一遮蔽リブ外面形成部、第一遮蔽リブの上面を形成する上金型第一遮蔽リブ上面形成部、前記第一遮蔽リブ右面を形成する上金型第一遮蔽リブ内面形成部、前記第一遮蔽リブの外側で前記仕切部材を上から押さえる第一固定部、前記第一遮蔽リブの内側で前記仕切部材を上から押さえる第三固定部を備えた上金型と、
前記第一遮蔽リブの左面の下部を形成する下金型第一遮蔽リブ外面形成部、前記第一遮蔽リブの下面を形成する下金型第一遮蔽リブ下面形成部、前記下金型第一遮蔽リブ下面形成部よりも高さが高く、前記第一遮蔽リブの内側で前記仕切部材を下から押さえる第二固定部、前記第一遮蔽リブの内側で前記仕切部材を下から押さえる第四固定部を備えた下金型と、で構成された請求項１乃至６のいずれかに記載の単位構成部材を製造する金型。
【請求項８】
前記金型で前記仕切部材と前記遮蔽リブを一体成形する前記単位構成部材の製造方法であって、
前記第一固定部と前記第二固定部及び前記第三固定部と前記第四固定部の二点で前記仕切部材を表裏両面から挟んで固定後、溶融樹脂を注入することを特徴とする前記単位構成部材の製造方法。
【請求項９】
前記第四固定部は前記下金型第一遮蔽リブ下面形成部よりも高さが高いことを特徴とする請求項８記載の製造方法。
【発明の詳細な説明】
【技術分野】
【０００１】
本発明は、室外から室内への給気と、室内から室外への排気とを同時に行う空気調和装置において、流体間での熱や湿度の交換を行う積層構造の熱交換素子及びこの熱交換素子の製造方法に関するものである。
【背景技術】
【０００２】
近年、暖房及び冷房等の空調機器が発達かつ普及し、空気調和装置を用いた居住区域が拡大するにつれて、換気において温度及び湿度が回収できる空気調和装置用の全熱交換器に対する重要性も高まっている。こうした全熱交換器には熱交換する要素部品として熱交換素子が搭載されている。この熱交換素子は、使用時に屋外から屋内に吸込まれる新鮮な外気と屋内から屋外へ排気される汚れた空気とが混合することなく、顕熱と同時に潜熱も熱交換できるものであり、気体遮蔽性及び全熱交換率が高いことが求められている。さらに、換気を行うために気流を流通させる送風装置（ファン、ブロワなど）の消費電力を抑え、全熱交換器の運転音を低く抑えるために、各気流が流通する際の通風抵抗が低いことも求められている。
【０００３】
従来の熱交換素子では、気体の遮蔽性、伝熱性及び透湿性を有する仕切部材を断面が波形状の間隔保持部材で挟み、所定の間隔をおいて複数層に重ね合わせた構造が採用されていた。例えば、仕切部材は方形の平板で、間隔保持部材は三角形断面の波形を成形した波形板となっており、間隔保持部材を仕切部材の間にその波形の方向を一枚ごとに９０度反転させて交互に積層し、一次気流と二次気流を通す二方向の流体通路を各層間に一層おきに構成しているものがある（特許文献１）。この熱交換素子では間隔保持部材が波形であるため、この波形の板厚によって仕切部材の間に形成される通風路の有効面積が小さくなり、さらに、仕切部材と間隔保持部材の接触面積が大きく、熱交換可能な仕切部材の有効面積が小さくなるため全熱交換効率が低くなるという問題がある。また、間隔保持部材が紙等より形成されているため通風路の断面形状が崩れ易く通風抵抗が高くなるという問題があった。
【０００４】
このため近年では、熱交換素子の、間隔保持部材として波形板の代わりに樹脂成形品を使用し仕切部材と樹脂を一体成形する方法が用いられてきた。この構造により、熱交換素子形状の自由度が上がり、全熱交換効率の向上、通風抵抗の低減を図ったものがある。（特許文献２）
【０００５】
しかし、間隔保持部材を仕切部材と一体成形する方法では、仕切部材と間隔保持部材の接着部の接着強度が低いという問題がある。また、仕切部材は高湿度環境下で伸びて変形するため接着部にはその変形に耐えられるだけの接着力が必要である。
【０００６】
また、近年、全熱交換素子の空気漏れ量の低減と湿度交換効率の向上を主な目的として、より緻密かつ密度を高くして作成した仕切部材が開発された。これらは薄くても通気性が低く（透気度が高い）、透湿性に優れ、全熱交換素子の仕切部材として非常に良好な性質を有するが、同時に伸縮量が大きく、また素材表面の凹凸や素材内部の空隙が少ないという特徴もある。そのため、こういった仕切部材を使った場合では、射出成形時に溶融樹脂が仕切部材の内部の空隙に十分入り込むことが出来ず、接着部のアンカー効果が十分得られないため十分な接着強度を得ることができない。そのため仕切部材と樹脂を一体成形しても接着強度が十分でなく、加工直後は接着されているが使用時の温湿度変化により仕切部材が伸縮を繰り返すことにより、仕切部材と間隔保持部材の接着面は最終的に剥離してしまう。これにより、風路を閉塞するため通風抵抗が増加することになる。
【０００７】
この課題の解決法として、間隔保持部材のみを一体成形し、その後接着剤等で仕切部材を貼り付ける製造方法がされている（特許文献３）。
【０００８】
また、間隔保持部材を成形する金型上に円筒状や三角形状などの凸部を設け、その凸部で仕切部材を抑えて間隔保持部材の中へ埋め込むことにより仕切部材と間隔保持部材の接着面積を増やし、接着信頼性を確保する方法が提案されている（特許文献４）。
【先行技術文献】
【特許文献】
【０００９】
【特許文献１】特公昭４７−１９９９０号公報
【特許文献２】特開２００３−２８７３８７号公報
【特許文献３】特開２００７−１００９９７号公報
【特許文献４】特開２００８−７００４６号公報
【発明の概要】
【発明が解決しようとする課題】
【００１０】
上記した、特許文献３に記載の間隔保持部材のみを一体成形し、その後接着剤等で仕切部材を貼り付ける製造方法では、接着強度を強めようとすると、間隔保持部材と仕切部材の接着面積を大きくする必要がある。このため、間隔保持部材を太くする必要があり、風路閉塞が大きくなるため通風抵抗が高くなるという課題がある。
【００１１】
また、上記した特許文献４に記載の仕切部材を抑えて間隔保持部材の中へ埋め込む方法では、仕切部材を金型の２点で挟むことが出来ないため、仕切部材が薄く変形しやすい場合に、狙い通り間隔保持部材内に仕切部材を埋め込むことが出来るか否かは樹脂の流れに大きく依存する。また、金型に仕切部材を挿入し、溶融樹脂を注入する射出成形では注入圧力が高いため仕切部材は間隔保持部材の中に上手く埋め込むことは難しい。このため、仕切部材を間隔保持部材の中に上手く埋め込むことが出来ず、結果として仕切部材と間隔保持部材の接着面積を増やすことが出来ない。よって、仕切部材が間隔保持部材から剥離し、風路を閉塞してしまうため、通風抵抗が増加するという課題がある。
【００１２】
本発明は、上記した課題に鑑みてなされたものであり、緻密かつ高密度な高性能の仕切部材を使用した場合であっても、温湿度の変化により生じる仕切部材のたわみに起因する間隔保持部材との接着部の剥離を抑制でき、かつ通風抵抗の低い全熱交換素子を得ることを目的としている。
【課題を解決するための手段】
【００１３】
本発明に係る熱交換素子は、伝熱性と透湿性を有する仕切部材と、前記仕切部材を所定間隔に保持し、空気の漏れを抑制する樹脂性の遮蔽リブと、を備えた単位構成部材を積層し、前記仕切部材の表面側を通過する一次気流と前記仕切部材の裏面側を前記一次気流と交差して通過する二次気流とが前記仕切部材を介して熱と湿度を交換する熱交換素子において、前記遮蔽リブは、前記仕切部材の表面の両側にそれぞれ前記一次気流が流れる方向と並行に設けられた第一遮蔽リブを備え、前記第一遮蔽リブの外側の面と前記仕切部材が接触する第一遮蔽リブ外面接触部と、前記際一遮蔽リブの内側の面と前記仕切部材が接触する第一遮蔽リブ内面接触部と、を有し、前記仕切部材は前記第一遮蔽リブ外面接触部と前記第一遮蔽リブ内面接触部の間で前記第一遮蔽リブ内に埋め込まれていることを特徴とする。
【発明の効果】
【００１４】
本発明に係る熱交換素子は、仕切部材が遮蔽リブ内に埋め込まれた構造であり、仕切部材の表裏両面から遮蔽リブと接着するため、仕切部材樹脂の界面の凝集力でも十分な接着強度を得ることが出来るようになる。よって、緻密かつ高密度な高性能の仕切部材を使用した場合であっても、温湿度の変化により生じる仕切部材のたわみに起因する間隔保持部材との接着部の剥離を抑制でき、かつ通風抵抗の低い全熱交換素子を得ることが出来る。
【図面の簡単な説明】
【００１５】
【図１】実施の形態１に係る熱交換素子の斜視図。
【図２】実施の形態１に係る単位構成部材の斜視図。
【図３】図２のＣ−Ｃ断面図。
【図４】実施の形態１に係る単位構成部材を製造する金型の断面図。
【図５】実施の形態１に係る単位構成部材の製造工程を示す断面図。
【図６】実施の形態２に係る単位構成部材の斜視図。
【図７】図７のＤ−Ｄ断面図。
【図８】実施の形態２に係る単位構成部材を製造する金型の断面図。
【図９】実施の形態２に係る単位構成部材の製造工程を示す断面図。
【図１０】実施の形態３に係る図２のＣ−Ｃ断面図
【図１１】実施の形態３に係る単位構成部材を製造する金型の断面図。
【発明を実施するための形態】
【００１６】
実施の形態１
本発明の実施の形態１について図面を参照して説明する。実施の形態１に係る熱交換素子の斜視図であり、図２は実施の形態１に係る単位構成部材の斜視図である。
【００１７】
図１に示すように、熱交換素子１は表裏を通過する空気の熱交換を行う伝熱性と透湿性と遮蔽性を有する仕切部材３と、この仕切部材３を所定間隔に保持する間隔保持部材４とで形成された単位構成部材２を一枚ごとに９０度反転させて交互に積層したものであり、仕切部材３の表側を通過する一次気流Ａと仕切部材３の裏側を通過する二次気流Ｂとが仕切部材３を介して、熱と湿分を交換させるものである。
【００１８】
以下で熱交換素子１を構成する各要素について説明する。
【００１９】
仕切部材３は、一次気流Ａと二次気流Ｂとの間で熱と湿分の交換がなされる際に、熱と湿分を透過させる媒体となるものである。一次気流Ａと二次気流Ｂを流した場合、仕切部材３の表裏両面に高温側（または多湿側）の気流中の熱（もしくは水蒸気）の温度差（もしくは水蒸気分圧差）を利用し、高温側(高湿側)から低温側（もしくは低湿側）へ仕切部材３を介して移行することで温度（湿度）の交換がなされる。また同時に仕切部材３は一次気流Ａと二次気流Ｂの混合を防止し、両気流間での二酸化炭素および臭い成分等の移行を抑制できることが必要である。これらを満足するためには、仕切部材３は緻密かつ高密度なもので密度が０．９５［ｇ／ｃｍ２］以上で透気抵抗度（ＪＩＳ・Ｐ８６２８）が２００秒／１００ｃｃ以上で、かつ透湿性を有するものがよい。具体的には、仕切部材３の素材としては、和紙や無機添料を入れた防燃紙、その他特殊な加工を施した特殊加工紙、樹脂とパルプを混抄した紙などを原料とし、透湿性や難燃性等の機能性を付与するために薬剤処理をほどこした透湿膜や、透湿性を有するオキシエチレン基を含むポリウレタン系樹脂、オキシエチレン基を含むポリエステル系樹脂、末端あるいは側鎖にスルホン酸基、アミノ基、水酸基、カルボキシル基を含む樹脂等で形成された非水溶性の親水性高分子薄膜に多孔質シート（不織布や延伸ＰＴＦＥ膜など）を熱や接着剤等により接着したもの、また顕熱交換器の場合には伝熱性と気体遮蔽性のみを有するポリスチレン系のＡＢＳ、ＡＳ、ＰＳ、ポリオレフィン系のＰＰ、ＰＥなどの樹脂シート、樹脂フィルムなどである。
【００２０】
また、仕切部材３は伝熱性、透湿性、気体遮蔽性を向上させるために、セルロース繊維（パルプ）を十分叩解して繊維をフィブリル化し、それを用いて抄紙した後スーパーカレンダー等でカレンダー加工（押しつぶし）を行う製造方法が用いられている。この製造方法で製造された仕切部材３は、厚さ２０〜６０μｍ程度、密度も０．９ｇ/ｃｍ3以上からほぼ１ｇ/ｃｍ3に近いものやさらに大きいものも登場しており、通常の紙（厚さ約１００〜１５０μｍ、密度約０．６〜０．８ｇ/ｃｍ3程度）と比べて、緻密かつ高密度な構造となっている。また気体遮蔽性の面でも、従来は多孔質の紙などに目止め材としてポリビニルアルコールを塗布して透気抵抗度を高めていたが、上述のような高密度化された仕切部材３であれば特段そのような加工をしなくとも、高密度で穴をセルロース繊維自体でふさがれているため、５，０００秒／１００ｃｃ程度が確保されている。
【００２１】
このような緻密かつ高密度化された仕切部材３を用いたときに問題になるのが間隔保持部材４との接着強度である。本実施の形態１で用いられる仕切部材３に溶融樹脂を流し込んで接着する場合には、樹脂と仕切部材３の濡れ性等にも関係するが、仕切部材３の微細な空隙へ樹脂が入り込むのはほぼ不可能であり、アンカー効果が十分に得られない。そのため仕切部材３と樹脂それぞれの表面がファンデルワールス力、水素結合や化学結合のみで接着されている状態であり、引きはがすと仕切部材３と樹脂の界面ではく離し、接着部の長期的な信頼性が十分得られない。
【００２２】
間隔保持部材４は、単位構成部材２を積層した際に通風路の高さを一定に保持する役割を有している。具体的には、間隔保持部材４は、熱交換素子１の外枠を構成し、熱交換素子１両端からの空気漏れを防止するため、気流が流れる方向に並行し、両端に設けられた遮蔽リブ５と、遮蔽リブ５と並行して所定間隔で複数本設けられ熱交換素子１を積層した際に積層方向の仕切部材３の間隔を保持し通風路を形成する間隔リブ１０とによって構成されている。
【００２３】
図２に示すように遮蔽リブ５は、単位構成部材２の周縁部に形成され、仕切部材３の表面の両側にそれぞれ一次気流Ａが流れる方向と並行に設けられた第一遮蔽リブ６と、第二遮蔽リブ７、仕切部材３の裏面の両側にそれぞれ二次気流Ｂが流れる方向と並行に設けられた第三遮蔽リブ８と、第四遮蔽リブ９とから構成される。また、第一遮蔽リブ６は第二遮蔽リブ７よりも外側に形成され、第三遮蔽リブ８は第四遮蔽リブ９よりも外側に形成されている。
なお、単位構成部材２を積層して熱交換素子１を作成した際、この遮蔽リブ６と遮蔽リブ７の間の凹部に、一段上に設けられる第三遮蔽リブ８又は第四遮蔽リブ９が勘合される。
間隔リブ１０は、第三遮蔽リブ８と接続され、前記第二遮蔽リブ７の間を所定間隔ごとに並行して設けられた第一間隔リブ１１と、第一遮蔽リブ６と接続され、第四遮蔽リブ９の間を所定間隔ごとに並行して設けられた第二間隔リブ１２とで構成される。なお、この遮蔽リブ５と間隔リブ１０の高さは仕切部材３が湿気を含んで膨張しても風路が閉塞されない高さにする必要がある。
【００２４】
単位構成部材２は、遮蔽リブ５、間隔リブ１０の形状を彫った金型に、仕切部材３をセットし、溶融樹脂を注入して成形することにより製造できる（詳細は後述する）。また、積層時の位置あわせのための凹凸や穴、成形品を押し出すためのストリッパーを受けるための部分などが適宜設けられることもある。これにより多数積層した際に仕切部材３の間隔を保持する役目をする。
この単位構成部材２は、概ね方形（１次気流Ａと２次気流Ｂが直交する場合）もしくは平行四辺形状（一次気流Ａと二次気流Ｂが斜交する場合）を成し、仕切部材３の成形時の挿入位置ズレにより製造不良となること極力防ぐため、また空気漏れに対する信頼性を増すため、遮蔽リブ５は間隔リブ１０よりも幅が広く設計される。また、特に間隔リブ１０は仕切部材３上の占有面積が増加すると、仕切部材３の伝熱及び透湿面積が失われることになるため、このリブの幅は極力狭いことが望まれる。幅が狭いことにより、使用する樹脂量の削減にもなる。間隔保持部材４に用いる樹脂は、ポリプロピレン（ＰＰ）、アクリロニトリル−ブタジエン−スチレン（ＡＢＳ）、ポリスチレン（ＰＳ）、アクリロニトリル-スチレン（ＡＳ）、ポリカーボネート（ＰＣ）、その他一般的な樹脂で希望の形状に成形可能なものであればよい。このようにリブを樹脂で成形することにより、間隔保持部材４の湿度による変形を抑え、安定な通風路を構成することができる。また、これら樹脂は難燃剤を添加して難燃化したり、無機分を添加して寸法安定性や強度の向上を図ることができる。また、目的によっては発泡剤（物理発泡剤・化学発泡剤）を添加して樹脂を発泡させ、樹脂量の削減などを図ることも可能である。
【００２５】
図３は図２のＣ−Ｃ断面図である。
本発明は図３に示すように、仕切部材３を第一遮蔽リブ６内に挟んで埋め込んだ構造となっている。
単位構成部材２は、仕切部材３と第一遮蔽リブ６、第二遮蔽リブ７及び第一間隔リブ１１は射出成形により一体成形されている。
第一遮蔽リブ６は、左側の面を形成する第一遮蔽リブ左面６ａと、上側の面を形成する第一遮蔽リブ上面６ｂと、右側の面を形成する第一遮蔽リブ内面６ｃと、下側の面を形成する第一遮蔽リブ下面６ｄとによって外形を構成し、この内部は樹脂で満たされている。
また、第二遮蔽リブ７は、左側の面を形成する第二遮蔽リブ外面７ａと、上側の面を形成する第二遮蔽リブ上面７ｂと、右側の面を形成する第二遮蔽リブ内面７ｃと、下側の面を形成する第二遮蔽リブ下面７ｄとによって外形を構成し、第一間隔リブ１１は、左側の面を形成する第一間隔リブ外面１１ａと、上側の面を形成する第一間隔リブ上面１１ｂと、右側の面を形成する第一間隔リブ内面１１ｃと、下側の面を形成する第一間隔リブ下面１１ｄとによって外形を構成し、これらの内部はそれぞれ樹脂で満たされている。
【００２６】
仕切部材３と第二遮蔽リブ７は第二遮蔽リブ下面７ｄで、仕切部材３と第一間隔リブ１１は第一間隔リブ下面１１ｄで片面のみで接着されている。この接着はファンデルワールス力、水素結合や化学結合によりなされているため、剥離し易く接着強度は十分に得ることが出来ない。
しかし、仕切部材３と第一遮蔽リブ６においては、仕切部材３は第一遮蔽リブ外面接触部６ｅ、第一遮蔽リブ内面接触部６ｆから第一遮蔽リブ６内に侵入しており、第一遮蔽リブ内部上接触部６ｇ、第一遮蔽リブ内部下接触部６ｈで両面（上下面）から接着されている。このように、仕切部材３を第一遮蔽リブ６内に埋め込むことで仕切部材３を両面から接着しているため接着強度は十分得ることが出来る。また、仕切部材３の第一遮蔽リブ６内に埋め込まれている部分は外気に触れないため、使用環境の変化による伸縮は起きにくい。このため接着部は剥離が生じにくく接着強度を十分に得ることが出来る。
【００２７】
つづいて、本実施の形態１に係る単位構成部材２を製造する金型の構成を説明する。図４は実施の形態１に係る単位構成部材を製造する金型の断面図である。
本実施の形態１に係る単位構成部材２を製造する金型１３は、遮蔽リブ５、間隔リブ１０を形成するための凹凸を有している。この金型１３は上金型１３ａと下金型１３ｂで構成されている。
具体的には第一遮蔽リブ６を形成するために、上金型１３ａは、第一遮蔽リブ外面６ａの上部を形成する上金型第一遮蔽リブ外面形成部１５ａ、第一遮蔽リブ上面６ｂを形成する上金型第一遮蔽リブ上面形成部１６ａ、第一遮蔽リブ内面６ｃを形成する上金型第一遮蔽リブ内面形成部１７ａを備え、下金型１３ｂは第一遮蔽リブ外面６ａの下部を形成する下金型第一遮蔽リブ外面形成部１５ｂ、第一遮蔽リブ下面６ｄを形成する下金型第一遮蔽リブ下面形成部１６ｂを備えている。
第二遮蔽リブ７を形成するために、上金型１３ａは、第二遮蔽リブ外面７ａを形成する上金型第二遮蔽リブ外面形成部１９ａ、第二遮蔽リブ上面７ｂを形成する上金型第二遮蔽リブ上面形成部２０ａ、第二遮蔽リブ内面７ｃを形成する上金型第二遮蔽リブ内面形成部２１ａを備え、下金型１３ｂは、第二遮蔽リブ下面７ｄを形成する下金型第二遮蔽リブ下面形成部２０ｂを備えている。
第一間隔リブ１１を形成するために、上金型１３ａは、第一間隔リブ外面１１ａを形成する上金型第一間隔リブ外面形成部２３、第一間隔リブ上面１１ｂを形成する上金型第一間隔リブ上面形成部２４、第一間隔リブ内面１１ｃを形成する上金型第一間隔リブ内面形成部２５を備えている。
また、この金型１３には単位構成部材２の製造時に、仕切部材３を金型１３内で確実に固定するために、上金型１３ａに仕切部材３を上から押さえる第一固定部１４ａ及び、下金型１３ｂに仕切部材３を下から押さえる第二固定部１４ｂを備え、第一固定部１４ａと第二固定部１４ｂで仕切部材３を挟んでいる。同様に、上金型１３ａに仕切部材３を上から押さえる第三固定部１８ａ及び第五固定部２２ａ、下金型１３ｂに仕切部材３を下から押さえる第四固定部１８ｂ及び第六固定部２２ｂを備え、第三固定部１８ａと第四固定部１８ｂ、第五固定部２２ａと第六固定部２２ｂで仕切り部材３を挟んでいる。なお、下金型１３ｂの第四固定部１８ｂ及び第六固定部２２ｂは高さを有さないが、第二固定部１４ｂは下金型第一遮蔽リブ外面形成部１５ｂによって高さを有している。この第二固定部１４ｂの高さを調整することで第一遮蔽リブ６内での仕切部材３の挟まれ方が変わる。第二固定部１４ｂの高さを高くすると、６ｅから６ｆまでの距離が長くなり、第二固定部１４ｂの高さを低くすると、６ｅから６ｆまでの距離が短くなる。このため、第二固定部１４ｂの高さを高くするほど第一遮蔽リブ６内に埋め込める仕切部材３の長さは長くなり、接着強度は強くなる。また、金型１３から単位構成部材２を取り出せるように、上金型第一遮蔽リブ外面形成部１５ａの角度は上金型第一遮蔽リブ上面形成部１６ａに向かうにつれて内側に傾斜している。また同様に、下金型第一遮蔽リブ外面形成部１５ｂの角度は下金型第一遮蔽リブ下面形成部１６ｂに向かうにつれて内側に傾斜している。このため。この金型１３で製造された単位構成部材２の第一遮蔽リブ６は第一遮蔽リブ外面接触部６ｅを基準に角度が異なっている。すなわちこの実施の形態１に係る金型１３で作られた単位構成部材２の第一遮蔽リブはテーパー面を二つ有している。
上記した金型１３を用いると、仕切部材３は、第一固定部１４ａと第二固定部１４ｂ、第三固定部１８ａと第四固定部１８ｂの二点で確実に固定され、かつ第二固定部１４ｂに高さを設けているため、確実に仕切部材３を表裏両面から挟め、十分な接着強度を得ることが出来る。
【００２８】
次に単位構成部材２を製造する方法について説明する。図５は実施の形態１に係る単位
構成部材の製造工程を示す断面図である。
図５に示すように、上金型１３ａの第三固定部１８ａ及び第五固定部２２ａ上に仕切部材３をセットする（Ｓ１、Ｓ２）。その際、仕切部材３は第一固定部１４ａ上にも達するよう、かつ上金型１３ａの各リブの形状に型どられた凹部を塞ぐように配置する。
続いて、下金型１３ｂをセットする（Ｓ３）。その際、仕切部材３は、第一固定部１４ａと第二固定部１４ｂで挟まれ、さらに第三固定部１８ａと第四固定部１８ｂで挟まれる。すなわち仕切部材３は、第一遮蔽リブ６が形成される凹部の周縁の２点で挟まれて固定される。第四固定部１８ｂは高さを有さないのに対して、第二固定部１４ｂは高さを有しているため仕切部材３は、挟まれた際に第一遮蔽リブ６を形成する空間を２つに分割している。なお、第四固定部１８ｂは高さを有さないため、仕切部材３は第二遮蔽リブ７を形成する空間の底面に配置され、この空間は２つに分割されない。
そして、Ｓ３で仕切部材３がセッティングされた金型１３に溶融した樹脂の注入を開始すると、次第に上金型１３ａと下金型１３ｂで形成された空間内は溶融樹脂で一杯になる（Ｓ４）。このとき、仕切部材３は前記２点で挟まれているため射出成形の注入圧力によってもずれ等が生じない。そして、所定の時間が経過すると注入された溶融樹脂は固まる。
溶融樹脂の固化後、上金型１３ａ及び下金型１３ｂから樹脂と仕切部材３を取り外すと単位構成部材２が完成する（Ｓ５）。仕切部材３は、第一遮蔽リブ６が形成される凹部の周縁の２点で挟まれて固定されていたため、完成した単位構成部材２の第一遮蔽リブ６内に仕切部材３は埋め込まれた構造となっている。
【００２９】
本発明の実施の形態１に係る熱交換素子は、仕切部材３を遮蔽リブ内に埋め込んだ構造であり、仕切部材３と遮蔽リブの接着面積が増加するため、仕切部材３と樹脂の界面の凝集力でも十分接着を維持できるようになる。よって、緻密かつ高密度な高性能の仕切部材３を使用し、細い間隔保持部材４のリブ形状であっても、温湿度の変化により生じる仕切部材３のたわみに起因する遮蔽リブとの接着部の剥離を抑制でき、かつ通風抵抗を低く抑えることが出来る。
【００３０】
実施の形態２
本発明の実施の形態２について図面を参照して説明する。なお、本実施の形態２では実施の形態１との相違点を中心に説明し、前述の図１乃至図５と同一または相当するものには同一の符号を付す。図６は実施の形態２に係る単位構成部材の斜視図である。
【００３１】
図６に示すように、遮蔽リブ５は、単位構成部材２の周縁部に形成され、仕切部材３の表面の両側にそれぞれ一次気流Ａが流れる方向と並行に設けられた第一遮蔽リブ６と、第二遮蔽リブ７、仕切部材３の裏面の両側にそれぞれ二次気流Ｂが流れる方向と並行に設けられた第三遮蔽リブ８と、第四遮蔽リブ９とから構成される。また、第一遮蔽リブ６は第二遮蔽リブ７よりも外側に形成され、第三遮蔽リブ８は第四遮蔽リブ９よりも外側に形成されている。
なお、単位構成部材２を積層して熱交換素子１を作成した際、この遮蔽リブ６と遮蔽リブ７の間の凹部に、一段上に設けられる第三遮蔽リブ８又は第四遮蔽リブ９が勘合される。
間隔リブ１０は、第三遮蔽リブ８と接続され、前記第二遮蔽リブ７の間を所定間隔ごとに並行して設けられた第一間隔リブ１１と、第一遮蔽リブ６と接続され、第四遮蔽リブ９の間を所定間隔ごとに並行して設けられた第二間隔リブ１２とで構成される。なお、この遮蔽リブ５と間隔リブ１０の高さは仕切部材３が湿気を含んで膨張しても風路が閉塞されない高さにする必要がある。
また、第一遮蔽リブ６と第二遮蔽リブ７の間に有する仕切部材３は第二遮蔽リブ７と第一間隔リブ１１の間に有する仕切部材３よりも高さが高くなっている。また同様に、第三遮蔽リブ８と第四遮蔽リブ９の間に有する仕切部材３は第四遮蔽リブ９と第二間隔リブ１２の間に有する仕切部材３よりも高さが高くなっている。この仕切部材３の高さが高くなっている箇所について次に説明する。
【００３２】
つづいて、図６に記載の単位構成部材のＥ−Ｅ断面について説明する。
図７に示すように、仕切部材３を第一遮蔽リブ６内及び第二遮蔽リブ７内に挟んで埋め込んだ構造となっている。
仕切部材３と第一遮蔽リブ６、第二遮蔽リブ７及び第一間隔リブ１１は射出成形により一体成形されている。
第一遮蔽リブ６は、左側の面を形成する第一遮蔽リブ外面６ａと、上側の面を形成する第一遮蔽リブ上面６ｂと、右側の面を形成する第一遮蔽リブ内面６ｃと、下側の面を形成する第一遮蔽リブ下面６ｄとによって外形を構成し、この内部は樹脂で満たされている。
また、第二遮蔽リブ７は、左側の面を形成する第二遮蔽リブ外面７ａと、上側の面を形成する第二遮蔽リブ上面７ｂと、右側の面を形成する第二遮蔽リブ内面７ｃと、下側の面を形成する第二遮蔽リブ下面７ｄとによって外形を構成し、第一間隔リブ１１は、左側の面を形成する第一間隔リブ外面１１ａと、上側の面を形成する第一間隔リブ上面１１ｂと、右側の面を形成する第一間隔リブ内面１１ｃと、下側の面を形成する第一間隔リブ下面１１ｄとによって外形を構成し、これらの内部は樹脂で満たされている。
【００３３】
仕切部材３と第一間隔リブ１１は第一間隔リブ下面１１ｄで片面からのみ接着されている。この接着はファンデルワールス力、水素結合や化学結合によりなされているため、剥離し易く接着強度は十分に得ることが出来ない。
しかし、仕切部材３と第一遮蔽リブ６は、仕切部材３は第一遮蔽リブ外面接触部６ｅ、第一遮蔽リブ内面接触６ｆから第一遮蔽リブ６内に侵入しており、第一遮蔽リブ内部上接触部６ｇ、第一遮蔽リブ内部下接触部６ｈで両面から接着されている。また同様に仕切部材３と第二遮蔽リブ７は、仕切部材３は第二遮蔽リブ外面接触部７ｅ、第二遮蔽リブ内面接触部７ｆから第二遮蔽リブ７内に侵入しており、第二遮蔽リブ内部上接触部７ｇ、第二遮蔽リブ内部下接触部７ｈで両面から接着されている。
このように、仕切部材３を第一遮蔽リブ６及び第二遮蔽リブ７内の２箇所において埋め込むことで、一箇所で埋め込む場合と比べ、遮蔽リブとの接触面積が増えるため、さらに強固に接着させることが出来る。また、仕切部材３の第一遮蔽リブ６及び第二遮蔽リブ７内に埋め込まれている部分は外気に触れないため、温湿環境の変化による伸縮はおきにくい。このため接着部は剥離が生じにくく接着強度を十分に得ることが出来る。図７においては、第一遮蔽リブ内面接触部６ｆの第一遮蔽リブ下面６ｄからの高さと第二遮蔽リブ外面接触部７ｅの第二遮蔽リブ下面７ｄからの高さは同じになっているが、必ずしも同じにしなくてもよい。また、第一遮蔽リブ内面接触部６ｆの第一遮蔽リブ下面６ｄからの高さは、第一遮蔽リブ外面接触部６ｅの第一遮蔽リブ下面６ｄからの高さよりも低くなっているが、同じ又は高くてもよい。
【００３４】
本実施の形態２に係る単位構成部材２を製造する金型の構成を説明する。図８は実施の形態２に係る単位構成部材を製造する金型の断面図である。
本実施の形態２に係る単位構成部材２を製造する金型１３は、遮蔽リブ５、間隔リブ６を形成するための凹凸を有している。この金型１３は上金型１３ａと下金型１３ｂで構成されている。
【００３５】
具体的には第一遮蔽リブ６を形成するために、上金型１３ａは、第一遮蔽リブ外面６ａの上部を形成する上金型第一遮蔽リブ外面形成部１５ａ、第一遮蔽リブ上面６ｂを形成する上金型第一遮蔽リブ上面形成部１６ａ、第一遮蔽リブ内面６ｃの上部を形成する上金型第一遮蔽リブ内面形成部１７ａを備え、下金型１３ｂは第一遮蔽リブ外面６ａの下部を形成する下金型第一遮蔽リブ外面形成部１５ｂ、第一遮蔽リブ下面６ｄを形成する下金型第一遮蔽リブ下面形成部１６ｂ、第一遮蔽リブ内面６ｃの下部を形成する下金型第一遮蔽リブ内面形成部１７ｂ備えている。
第二遮蔽リブ７を形成するために、上金型１３ａは、第二遮蔽リブ外面７ａの上部を形成する上金型第二遮蔽リブ外面形成部１９ａ、第二遮蔽リブ上面７ｂを形成する上金型第二遮蔽リブ上面形成部２０ａ、第二遮蔽リブ内面７ｃを形成する上金型第二遮蔽リブ内面形成部２１ａを備え、下金型１３ｂは、第二遮蔽リブ外面７ａの上部を形成する下金型第二遮蔽リブ外面形成部１９ｂ、第二遮蔽リブ下面７ｄを形成する下金型第二遮蔽リブ下面形成部２０ｂを備えている。
第一間隔リブ１１を形成するために、上金型１３ａは、第一間隔リブ外面１１ａを形成する上金型第一間隔リブ外面形成部２３、第一間隔リブ上面１１ｂを形成する上金型第一間隔リブ上面形成部２４、第一間隔リブ内面１１ｃを形成する上金型第一間隔リブ内面形成部２５を備えている。
【００３６】
また、この金型１３には単位構成部材２の製造時に、仕切部材３を金型１３内で確実に固定するために、上金型１３ａに仕切部材３を上から押さえる第一固定部１４ａ及び、下金型１３ｂに仕切部材３を下から押さえる第二固定部１４ｂを備え、第一固定部１４ａと第二固定部１４ｂで仕切部材３を挟んでいる。同様に、上金型１３ａに仕切部材３を上から押さえる第三固定部１８ａ及び第五固定部２２ａ、下金型１３ｂに仕切部材３を下から押さえる第四固定部１８ｂ及び第六固定部２２ｂを備え、第三固定部１８ａと第四固定部１８ｂ、第五固定部２２ａと第六固定部２２ｂで仕切り部材３を挟んでいる。なお、下金型１３ｂの第六固定部２２ｂには高さを設けていないが、第二固定部１４ｂ及び第四固定部１８ｂには高さを設けている。この第二固定部１４ｂ及び第四固定部１８ｂの高さを調整することで第一遮蔽リブ６内での仕切部材３の挟まれ方が変わる。
【００３７】
第二固定部１４ｂと第四固定部１８ｂの高さの差を大きくすると、６ｅから６ｆまでの距離が長くなり、第二固定部１４ｂと第四固定部１８ｂの高さの差を低くすると、６ｅから６ｆまでの距離が短くなる。このため、第二固定部１４ｂと第四固定部１８ｂの高さを高くするほど接着強度は強くなる。また、同様に、第四固定部１８ｂと第六固定部２２ｂの高さの差を大きくすると、７ｅから７ｆまでの距離が長くなり、第四固定部１８ｂと第六固定部２２ｂの高さの差を低くすると、７ｅから７ｆまでの距離が短くなる。このため、第四固定部１８ｂと第六固定部２２ｂの高さを高くするほど接着強度は強くなる。
【００３８】
また、金型１３から単位構成部材２を取り出せるように、上金型第一遮蔽リブ外面形成部１５ａの角度は上金型第一遮蔽リブ上面形成部１６ａに向かうにつれて内側に傾斜している。また同様に、下金型第一遮蔽リブ外面形成部１５ｂの角度は下金型第一遮蔽リブ下面形成部１６ｂに向かうにつれて内側に傾斜している。このため、この金型１３で製造された単位構成部材２の第一遮蔽リブ６は第一遮蔽リブ外面接触部６ｅを基準に角度が異なっている。すなわちこの実施の形態２に係る金型１３で作られた単位構成部材２の第一遮蔽リブ外面６ａはテーパー面を二つ有している。同様に、第一遮蔽リブ内面６ｃと第二遮蔽リブ外面７ａはテーパー面を負筒有している。
【００３９】
これにより、仕切部材３は、第一固定部１４ａと第二固定部１４ｂ、第三固定部１８ａと第四固定部１８ｂ、第五固定部２２ａと第六固定部２２ｂの三点で確実に固定され、かつ第二固定部１４ｂ及び第四固定部１８ｂに高さを設けているため、確実に仕切部材３を両面から挟み、強固に接着することが出来る。
【００４０】
本実施の形態２に係る単位構成部材２の製造方法について説明する。図９は本発明の実施の形態２に係る単位構成部材２の製造工程を示す断面図である。
図９に示すように、上金型１３ａの第五固定部２２ａ上に仕切部材３をセットする（Ｓ１、Ｓ２）。その際、仕切部材３は第一固定部１４ａ及び第三固定部１８ａ上にも達するよう、かつ上金型１３ａの各リブの形状に型どられた凹部を塞ぐように配置する。
続いて、下金型１３ｂをセットする（Ｓ３）。その際、仕切部材３は、第一固定部１４ａと第二固定部１４ｂで挟まれ、さらに第三固定部１８ａと第四固定部１８ｂ、第五固定部２２ａと第六固定部２２ｂで挟まれる。すなわち仕切部材３は、第一遮蔽リブ６及び第二遮蔽リブ７が形成される凹部の周縁の３点で挟まれて固定される。なお、仕切部材３は、挟まれた際に第一遮蔽リブ６及び第二遮蔽リブ７を形成する空間のそれぞれを２つに分割している。
そして、Ｓ３で仕切部材３がセッティングされた金型１３に溶融した樹脂の注入を開始すると、次第に上金型１３ａと下金型１３ｂで形成された空間内は溶融樹脂で一杯になる（Ｓ４）。このとき、仕切部材３は前記３点で挟まれているため射出成形の注入圧力によってもずれ等が生じない。そして、所定の時間が経過すると注入された溶融樹脂は固まる。
溶融樹脂の固化後、金型１３から樹脂と仕切部材３を取り外すと単位構成部材２が完成する（Ｓ５）。仕切部材３は、第一遮蔽リブ６及び第二遮蔽リブ７が形成される凹部の周縁の３点で挟まれて固定されているため、完成した単位構成部材２の遮蔽リブ６及び第二遮蔽リブ７内に仕切部材３は埋め込まれた構造となっている。
【００４１】
本発明の実施の形態２に係る熱交換素子は、仕切部材３を遮蔽リブ内に埋め込んだ構造であり、仕切部材３と遮蔽リブの接着面積が増加するため、仕切部材３と樹脂の界面の凝集力でも十分接着を維持できるようになる。よって、緻密かつ高密度な高性能の仕切部材３を使用し、細い間隔保持部材４のリブ形状であっても、温湿度の変化により生じる仕切部材３のたわみに起因する遮蔽リブとの接着部の剥離を抑制でき、かつ通風抵抗を低く抑えることが出来る。
【００４２】
実施の形態３
本発明の実施の形態３について図面を参照して説明する。なお、本実施の形態３では実施の形態１及び２との相違点を中心に説明し、前述の図１乃至図９と同一または相当するものには同一の符号を付す。図１０は実施の形態３に係る図２のＣ−Ｃ断面図であり、図１１は実施の形態３に係る単位構成部材を製造する金型の断面図である。
【００４３】
図１０に示すように、実施の形態３に係る第一遮蔽リブ６は、第一遮蔽リブ外面６ａにバリ２６を備えている。第一遮蔽リブ６の中を通過してきた仕切部材３はバリ２６内を通過し、外部に出ている。バリ２６は仕切部材３を表裏から挟み込み、厚みは第一遮蔽リブ６の高さよりも薄い構成となっている。
バリ２６を形成するために図１１に示すような金型１３を用いる。金型１３は第一遮蔽リブ６にバリ２６を形成するため、上金型１３ａの第一固定部１４ａにバリ２６を形成するための上金型バリ形成部２７ａ、下金型１３ｂの第二固定部１４ｂにバリ２６を形成するための下金型バリ形成部２７ｂを備えている。この金型１３に仕切部材３を挟み射出成形をすると、上金型バリ形成部２７ａと下金型バリ形成部２７ｂで出来た空間に溶融樹脂が流れ込むため、溶融樹脂の固化後の単位構成部材２は図１０に示した構成を有している。
このように第一遮蔽リブ６にバリが形成された単位構成整部材２は第一遮蔽リブ６内に仕切部材３を埋め込むことによる接着強度の向上に加えて、仕切部材３に樹脂が薄く接着しているためある程度の硬度を有し、トリミング等の加工がし易いという効果を有する。
【００４４】
なお、図１０に示した単位構成部材２に形成されたバリは矩形形状をしているが、この形状に限るものではない。また、図１０に示した単位構成部材２はバリ２６が仕切部材３を表裏両面から挟む構造になっているが、必ずしも挟まなくても樹脂と仕切部材３が接着し、ある程度の硬度を有するものであればよい。
この実施の形態３で示した単位構成部材２は実施の形態１に係る単位構成部材２にバリを備えたものであるが、実施の形態２に係る単位構成部材２に備えてももちろんよい。
【符号の説明】
【００４５】
１      熱交換素子
２      単位構成部材
３      仕切部材
４      間隔保持部材
５      遮蔽リブ
６      第一遮蔽リブ
６ａ    第一遮蔽リブ外面
６ｂ    第一遮蔽リブ上面
６ｃ    第一遮蔽リブ内面
６ｄ    第一遮蔽リブ下面
６ｅ    第一遮蔽リブ外面接触部
６ｆ    第一遮蔽リブ内面接触部
６ｇ    第一遮蔽リブ内部上接触部
６ｈ    第一遮蔽リブ内部下接触部
７      第二遮蔽リブ
７ａ    第二遮蔽リブ外面
７ｂ    第二遮蔽リブ上面
７ｃ    第二遮蔽リブ内面
７ｄ    第二遮蔽リブ下面
７ｅ    第二遮蔽リブ外面接触部
７ｆ    第二遮蔽リブ内面接触部
７ｇ    第二遮蔽リブ内部上接触部
７ｈ    第二遮蔽リブ内部下接触部
８      第三遮蔽リブ
９      第四遮蔽リブ
１０    間隔リブ
１１    第一間隔リブ
１１ａ  第一間隔リブ外面
１１ｂ  第一間隔リブ上面
１１ｃ  第一間隔リブ内面
１１ｄ  第一間隔リブ下面
１２    第二間隔リブ  
１３    金型
１３ａ  上金型
１３ｂ  下金型
１４ａ  第一固定部
１４ｂ  第二固定部
１５ａ  上金型第一遮蔽リブ外面形成部
１５ｂ  下金型第一遮蔽リブ外面形成部
１６ａ  上金型第一遮蔽リブ上面形成部
１６ｂ  下金型第一遮蔽リブ下面形成部
１７ａ  上金型第一遮蔽リブ内面形成部
１７ｂ  下金型第一遮蔽リブ内面形成部
１８ａ  第三固定部
１８ｂ  第四固定部
１９ａ  上金型第二遮蔽リブ外面形成部
１９ｂ  下金型第二遮蔽リブ外面形成部
２０ａ  上金型第二遮蔽リブ上面形成部
２０ｂ  下金型第二遮蔽リブ下面形成部
２１ａ  上金型第二遮蔽リブ内面形成部
２２ａ  第五固定部
２２ｂ  第六固定部
２３    第一間隔リブ外面形成部
２４    第一間隔リブ上面形成部
２４ｂ  第一間隔リブ下面形成部
２５    第一間隔リブ内面形成部
２６    バリ
２７ａ  上金型バリ形成部
２７ｂ  下金型バリ形成部
Ａ      一次気流
Ｂ      二次気流
【図１】
2013257107.tif 000003
【図２】
2013257107.tif 000004
【図３】
2013257107.tif 000005
【図４】
2013257107.tif 000006
【図５】
2013257107.tif 000007
【図６】
2013257107.tif 000008
【図７】
2013257107.tif 000009
【図８】
2013257107.tif 000010
【図９】
2013257107.tif 000011
【図１０】
2013257107.tif 000012
【図１１】
2013257107.tif 000013